(57)【要約】【課題】記録画像のセキュリティを高める。【解決手段】デジタルカメラ２は、シャッタボタン９等を備え、側面にメモリーカード１６がセットされる。シャッタボタン９には、指紋検出センサ９ａが設けられる。ＲＡＭ６１には、予め使用許可を与えるユーザの指紋データを入力しておく。メモリーカード１６には、メモリーカード１６の持ち主の指紋データを入力しておく。指紋データ照合部６０は、指紋検出センサ９ａで検出されたユーザ指紋データと、ＲＡＭ６１内の指紋データ及びメモリーカード１６内の指紋データとの照合を行う。指紋データ照合の結果、ＲＡＭ６１内の指紋データと一致すると、本体使用制御手段６２によるデジタルカメラ２の使用制限を解除する。メモリーカード１６内の指紋データと一致すると、メモリーカード使用制御手段６３によるメモリーカード１６の使用制限を解除する。【選択図】                図３
2004297406.tif 000002
【特許請求の範囲】
【請求項１】
データの記録及び再生が可能で、データを記録する内蔵メモリと着脱式の外部メモリとを備えたデジタルカメラにおいて、
ユーザのＩＤデータを読み取るＩＤデータ読み取り手段と、
読み取ったユーザＩＤデータを前記内蔵メモリと外部メモリとのそれぞれに予め記録されたＩＤデータと照合し、それぞれのＩＤデータと一致するか否かを判定するＩＤデータ判定手段と、
前記ＩＤデータ判定手段により内蔵メモリとの一致が判定されたときにはカメラ本体を使用可能な状態にし、前記外部メモリとの一致が判定されたときには外部メモリを使用可能な状態にする使用制御手段とを備えたことを特徴とするデジタルカメラ。
【請求項２】
前記内蔵メモリと外部メモリとのそれぞれに予め記録されたＩＤデータは指紋パターンデータであり、前記ＩＤデータ読み取り手段はユーザの指紋パターンデータを読み取る指紋パターンデータ読み取り手段であることを特徴とする請求項１記載のデジタルカメラ。
【請求項３】
前記内蔵メモリと外部メモリとのそれぞれに予め記録されたＩＤデータは網膜パターンデータであり、前記ＩＤデータ読み取り手段はユーザの網膜パターンデータを読み取る網膜パターンデータ読み取り手段であることを特徴とする請求項１記載のデジタルカメラ。
【請求項４】
前記内蔵メモリと外部メモリとのそれぞれに予め記録されたＩＤデータは声紋パターンデータであり、前記ＩＤデータ読み取り手段はユーザの声紋パターンデータを読み取る声紋パターンデータ読み取り手段であることを特徴とする請求項１記載のデジタルカメラ。
【発明の詳細な説明】
【０００１】
【発明の属する技術分野】
本発明はデータの記録及び読み取りが可能で、データを記録する内蔵メモリと着脱式の外部メモリとを備えたデジタルカメラに関するものである。
【０００２】
【従来の技術】
【特許文献１】
特開２０００−１４７６２３号公報（図１）
【０００３】
【従来の技術】
カメラに使用制限を設け、使用を許可するユーザのみ使用することができるカメラが、例えば特許文献１などで提案されている。このカメラでは、カメラの使用を許可する使用者のＩＤ情報を予め記憶するＩＤ情報記憶手段と、使用時において使用者のＩＤ情報を読み取るＩＤ情報読み取り手段と、このＩＤ情報読み取り手段で読み取ったＩＤ情報と、前記ＩＤ情報記憶手段に予め記憶したＩＤ情報とを比較照合するＩＤ情報照合手段と、このＩＤ情報照合手段の照合結果が一致したときにのみカメラを使用可能にする使用制限手段とを備え、使用を許可されたＩＤを持つ使用者のみカメラを使用できるようにしている。
【０００４】
【発明が解決しようとする課題】
しかしながら、特許文献１のカメラでは、使用を許可されたＩＤを持つ使用者であればカメラを使用することができるため、他の使用者の所有するメモリーカード等の外部メモリを使用することができ、このメモリーカードに記録された画像を自由に閲覧または複写することができてしまう。
【０００５】
本発明は上記課題を解決するためのものであり、カメラ本体と外部メモリとをそれぞれに使用が許可されたユーザのみ使用することができるようにしたデジタルカメラを提供することを目的とする。
【０００６】
【課題を解決するための手段】
上記目的を達成するために、本発明のデジタルカメラは、データの記録及び再生が可能で、データを記録する内蔵メモリと着脱式の外部メモリとを備えたデジタルカメラにおいて、ユーザのＩＤデータを読み取るＩＤデータ読み取り手段と、読み取ったユーザＩＤデータを前記内蔵メモリと外部メモリとのそれぞれに予め記録されたＩＤデータと照合し、それぞれのＩＤデータと一致するか否かを判定するＩＤデータ判定手段と、前記ＩＤデータ判定手段により内蔵メモリとの一致が判定されたときにはカメラ本体を使用可能な状態にし、前記外部メモリとの一致が判定されたときには外部メモリを使用可能な状態にする使用制御手段とを備えたものである。
【０００７】
なお、前記内蔵メモリと外部メモリとのそれぞれに予め記録されたＩＤデータは指紋パターンデータ、網膜パターンデータ、声紋パターンデータのうちのいずれか１つであり、前記ＩＤデータ読み取り手段はユーザの指紋パターンデータ、網膜パターンデータ、声紋パターンデータのうちの対応したいずれか１つを読み取るデータ読み取り手段であることが好ましい。
【０００８】
【発明の実施の形態】
図１及び図２は、本発明を実施したデジタルカメラ２の外観斜視図である。デジタルカメラ２の前面には、撮影レンズ４が組み込まれたレンズ鏡筒５、ファインダ６を構成する対物側ファインダ窓７、被写体に向けてストロボ光を照射するストロボ発光部８、シャッタレリーズ操作に用いられるシャッタボタン９、タイマ撮影時に点滅して撮影タイミングを知らせるセルフタイマ用発光部１０、マイク１１等が設けられている。レンズ鏡筒５は、デジタルカメラ２が電源オフ状態にある際に、デジタルカメラ２の前面に設けられた鏡筒収納部１２内に収納され、電源オンとともにデジタルカメラ２の前面から突出する。シャッタボタン９には、指紋パターンデータ検出手段としての指紋検出センサ９ａが設けられている。
【０００９】
デジタルカメラ２の一方の側面には、メモリカード１６がセットされるメモリカードスロット１７が設けられている。このメモリカードスロット１７の奥には、メモリカード１６へのデータの読み書きを行なうメモリカードリーダが内蔵されている。メモリカードスロット１７は、塵芥の侵入等を防止するために、開閉式の保護カバー１８によって保護されている。
【００１０】
図２に示すように、デジタルカメラ２の背面には、電源ボタン１９、ファインダ６を構成する接眼側ファインダ窓２０、操作部２１、ビューファインダとして機能する画像表示用ＬＣＤ２２等が設けられている。接眼側ファインダ２０の側方には、点灯，点滅してデジタルカメラ２の状態を知らせるファインダ発光部２４が設けられている。操作部２１内には、複数の操作ボタン２５〜２８と、各種設定等の情報を表示する設定用ＬＣＤ２９とが設けられている。
【００１１】
デジタルカメラ２は、スチル撮影を行なう撮影モードと、撮影画像を再生する再生モードと、ユーザの識別を行うユーザ識別モードという複数の動作モードを備えており、電源ボタン１９の入力によりデジタルカメラ２の電源がオンされると、まずユーザ認識モードがオンされる。そして、ユーザ認識モードで使用を許可されると、撮影モードに切り換わる。撮影モードと再生モードとの切り換えは操作部２１で行われる。
【００１２】
図１に示すように、デジタルカメラ２には、バッテリ３０がセットされるバッテリ室が設けられている。デジタルカメラ２の底面には、バッテリ室にアクセスするための開口部３１が設けられている。この開口部３１は、蓋部材３２によって開閉される。バッテリ室には、充電可能なバッテリ３０がセットされる。
【００１３】
図３は、本発明のデジタルカメラ２の電気的構成を示すブロック図であり、詳しくは図示しないが、レンズ鏡筒５には、焦点調整を行なうフォーカス用モータと、ズーミングを行なうズーム用モータとが組み込まれている。これらのモータは、デジタルカメラ２全体を制御するＣＰＵ４０に接続されたモータドライバ４７によって駆動制御される。また、レンズ鏡筒５内には、絞り兼用のシャッタユニットが組み込まれており、このシャッタユニットもＣＰＵ４０によって制御される。
【００１４】
レンズ鏡筒５の背後には、撮影レンズを透過した被写体光が撮像されるＣＣＤ４１が配置されている。このＣＣＤ４１には、ＣＰＵ４０によって制御されるタイミングジェネレータ４８からタイミング信号（クロック信号）が入力される。ＣＣＤ４１から出力された信号は、相関二重サンプリング回路（ＣＤＳ）４２に入力され、ＣＣＤ４１の各セルの蓄積電荷量に正確に対応したＲ、Ｇ、Ｂの画像データとして出力される。ＣＤＳ４２から出力された画像データは、増幅器（ＡＭＰ）４３で増幅され、Ａ／Ｄ変換器４４でデジタルデータに変換される。
【００１５】
画像入力コントローラ４５は、データバス５０を介してＣＰＵ４０に接続されており、ＣＰＵ４０の命令によってＣＣＤ４１，ＣＤＳ４２，ＡＭＰ４３，Ａ／Ｄ変換器４４を制御する。また、Ａ／Ｄ変換器４４から出力された画像データをビデオメモリ５１、あるいはバッファメモリ５２に書き込む。
【００１６】
ビデオメモリ５１は、画像表示用ＬＣＤ２２をビューファインダとして使用する際に、解像度の低い画像データが一時的に記録される。ビデオメモリ５１に記録された画像データは、データバス５０を介してＬＣＤドライバ５３に送られ、画像表示用ＬＣＤ２２に表示される。バッファメモリ５２は、撮像された高解像度の画像データが一時的に記録される。このバッファメモリ５２から読み出された画像データは、メディアコントローラ５５によって駆動制御されるメモリカードリーダによりメモリカード１６に記録される。
【００１７】
画像信号処理回路５７は、撮像された高解像度の画像データがバッファメモリ５２内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。
【００１８】
音声は、マイク１１で音声信号に変換され、さらにＡ／Ｄ変換器１３で音声データに変換され、この音声データがＣＰＵ４０からの命令により、メディアコントローラ５５によって駆動制御されるメモリカードリーダによりメモリカード１６に記録される。
【００１９】
指紋検出センサ９ａはＣＰＵ４０に接続されており、指紋検出センサ９ａにより検出されたユーザ指紋データがＣＰＵ４０に送られる。指紋データ照合部６０はＣＰＵ４０に接続され、ＣＰＵ４０からの命令により、送られてきたユーザ指紋データとＲＡＭ６１に保存された指紋データ及びメモリーカード１６に保存された指紋データとの照合を行う。本体使用制御手段６２は、デジタルカメラ２の使用を制限する。メモリーカード使用制御手段６３は、メモリーカード１６の使用を制限する。デジタルカメラ２は、電源がオンされると、まずユーザ認識モードがオンされる。ユーザ認識モードでは、使用が許可されるまでは、本体使用制御手段６２とメモリーカード使用制御手段６３とにより、ユーザ認識モードで使用されるユーザ認識以外の機能の使用が制限され、撮影モードや再生モードに切り換えることができない。ユーザ認識モードで使用を許可されると、撮影モードに切り換わる。
【００２０】
次に、本実施形態の作用を説明する。ユーザは、電源ボタン１９を入力し、デジタルカメラ２の電源をオンする。電源がオンされると、デジタルカメラ２はユーザ識別モードがオンになる。そして、ユーザは指紋検出センサ９ａに指定された指（例えば人指し指）を乗せる。指紋検出センサ９ａで検出されたユーザ指紋データは、ＣＰＵ４０を介して指紋データ照合部６０に送られる。指紋データ照合部６０は、ＲＡＭ６１から引き出された予め入力済の使用許可を与える指紋データとユーザ指紋データとの照合を行うとともに、メディアコントローラ５５を介し、ＣＰＵ４０によってメモリーカード１６から引き出された予め入力済の使用許可を与える指紋データとユーザ指紋データとの照合を行い、それぞれの照合結果を、ビデオメモリ５１からＬＣＤドライバ５３を介して、画像表示用ＬＣＤ２２に送り、表示する。指紋データ照合は、指紋パターンによる照合によって行われる。
【００２１】
指紋データ照合の結果、ＲＡＭ６１に入力済の使用許可を与える指紋データとユーザ指紋データとが一致した場合には、ＣＰＵ４０は本体使用制御手段６２によるデジタルカメラ２の使用制限を解除する。さらに、指紋データ照合の結果、メモリーカード１６に入力済の使用許可を与える指紋データとユーザ指紋データとが一致した場合には、ＣＰＵ４０はメモリーカード使用制御手段６３によるメモリーカード１６の使用制限を解除する。
【００２２】
ＲＡＭ６１には、予め使用許可を与えるユーザ（例えば、会社で使用する場合には、使用する社員）の指紋データを入力しておく。メモリーカード１６には、メモリーカード１６の持ち主の指紋データを入力しておく。なお、ＲＡＭ６１及びメモリーカード１６の指紋データの追加及び削除は可能であるが、使用許可を与えられたユーザのみが行うことができるため、使用許可を与えられていないユーザにより勝手に追加及び削除されることはなく、セキュリティ上の問題はない。
【００２３】
指紋データ照合の結果、ＲＡＭ６１に入力済の使用許可を与える指紋データとユーザ指紋データとが一致しない場合には、上述した経路を通り、予め入力しておいた使用不許可のコメント、例えば「入力済の指紋データと一致しません」というコメントを、画像表示ＬＣＤ２２に表示する。ＲＡＭ６１に入力済の指紋データとユーザ指紋データが設定しておいた回数（例えば３回）で一致しない場合は、予め入力しておいた使用不許可のコメントを、画像表示ＬＣＤ２２に表示し、デジタルカメラ２の電源をオフする。
【００２４】
指紋データ照合の結果、メモリーカード１６に入力済の使用許可を与える指紋データとユーザ指紋データとが一致しない場合には、上述した経路を通り、予め入力しておいた使用不許可のコメント、例えば「入力済の指紋データと一致しません」というコメントを、画像表示ＬＣＤ２２に表示する。メモリーカード１６に入力済の指紋データとユーザ指紋データが設定しておいた回数（例えば３回）で一致しない場合は、予め入力しておいたメモリーカード１６使用不許可のコメントを、画像表示ＬＣＤ２２に表示する。
【００２５】
このように、ＲＡＭ６１に入力済の使用許可を与える指紋データとユーザ指紋データとが一致した場合にのみ、ユーザがデジタルカメラ２を使用することができるから、使用許可を与えていないユーザによりデジタルカメラ２が使用されることがなくなるとともに、メモリーカード１６に入力済の使用許可を与える指紋データとユーザ指紋データとが一致した場合にのみ、ユーザがメモリーカード１６を使用することができるから、使用許可を与えていないユーザによりメモリーカード１６が使用されることがなくなり、記録画像のセキュリティを高めることができる。
【００２６】
メモリカードスロット１７にメモリーカード１６がセットされていない場合には、ＲＡＭ６１に入力済の使用許可を与える指紋データとユーザ指紋データとの照合のみ行う。そして、撮影モードや再生モードでデジタルカメラ２操作中にメモリーカード１６をメモリーカードスロット１７にセットすると、ユーザ認識モードに切り換わり、再度指紋データの入力を促すコメントを画像表示ＬＣＤ２２に表示し、メモリーカード１６に入力済の使用許可を与える指紋データとユーザ指紋データとの照合を行う。
【００２７】
なお、上記実施形態では、ＩＤデータとして指紋データを用い、指紋検出センサ９ａによりユーザ指紋データを読み取り、指紋データ照合部６０で指紋データの照合を行う構成にしたが、これに限定されることなく、ＩＤデータとして網膜パターンデータ、声紋パターンデータを用い、それぞれのＩＤデータに対応したＩＤデータ読み取り手段とデータ照合部とにより、データ読み取り及びデータ照合を行う構成にしてもよい。
【００２８】
また、指紋データ照合時に、その時のユーザ指紋データ及び時間データは、ＣＰＵ４０によってＲＡＭ６１に保存されることから、職場などに本発明のデジタルカメラ２を設置し、あらかじめ社員の指紋データを入力しておき、タイムカードとして使用してもよい。
【００２９】
図４に他の実施形態を示す。上記実施形態のものと同様の構成部材には同一の符号を付し、その詳細な説明を省略する。この実施形態では、ユーザは、電源ボタン１９を入力し、デジタルカメラ２の電源をオンする。電源がオンされると、デジタルカメラ２はユーザ識別モードがオンになる。そして、ユーザはマイク１１に音声を入力する。入力されたユーザの音声は、マイク１１で音声信号に変換され、さらにＡ／Ｄ変換器１３で音声データに変換され、ユーザ音声データとして、ＣＰＵ４０を介して音声データ照合部７０に送られる。音声データ照合部７０は、ＲＡＭ６１から引き出された予め入力済の使用許可を与える音声データとユーザ音声データとの照合を行うとともに、メディアコントローラ５５を介し、ＣＰＵ４０によってメモリーカード１６から引き出された予め入力済の使用許可を与える音声データとユーザ音声データとの照合を行い、それぞれの照合結果を、ビデオメモリ５１からＬＣＤドライバ５３を介して、画像表示用ＬＣＤ２２に送り、表示する。音声データ照合は、声紋パターンによる照合によって行われる。
【００３０】
音声データ照合の結果、ＲＡＭ６１に入力済の使用許可を与える音声データとユーザ音声データとが一致した場合には、ＣＰＵ４０は本体使用制御手段６２によるデジタルカメラ２の使用制限を解除する。さらに、音声データ照合の結果、メモリーカード１６に入力済の使用許可を与える音声データとユーザ音声データとが一致した場合には、ＣＰＵ４０はメモリーカード使用制御手段６３によるメモリーカード１６の使用制限を解除する。
【００３１】
ＲＡＭ６１には、予め使用許可を与えるユーザ（例えば、会社で使用する場合には、使用する社員）の音声データを入力しておく。メモリーカード１６には、メモリーカード１６の持ち主の音声データを入力しておく。なお、ＲＡＭ６１及びメモリーカード１６の音声データの追加及び削除は可能であるが、使用許可を与えられたユーザのみが行うことができるため、使用許可を与えられていないユーザにより勝手に追加及び削除されることはなく、セキュリティ上の問題はない。
【００３２】
【発明の効果】
以上説明したように、本発明のデジタルカメラによれば、ユーザのＩＤデータを読み取るＩＤデータ読み取り手段と、読み取ったユーザＩＤデータを前記内蔵メモリと外部メモリとのそれぞれに予め記録されたＩＤデータと照合し、それぞれのＩＤデータと一致するか否かを判定するＩＤデータ判定手段と、ＩＤデータ判定手段により内蔵メモリとの一致が判定されたときには、カメラ本体を使用可能な状態にし、外部メモリとの一致が判定されたときには、外部メモリを使用可能な状態にする使用制御手段とを備えたから、使用許可を与えていないユーザによりデジタルカメラやメモリーカードが使用されることがなくなり、記録画像のセキュリティを高めることができる。
【図面の簡単な説明】
【図１】本発明のデジタルカメラの構成を示す前面外観斜視図である。
【図２】本発明のデジタルカメラの構成を示す背面外観斜視図である。
【図３】本発明のデジタルカメラの電気的構成を示すブロック図である。
【図４】本発明の他の実施形態の電気的構成を示すブロック図である。
【符号の説明】
２  デジタルカメラ
９  シャッタボタン
９ａ  指紋検出センサ
１１  マイク
１３  Ａ／Ｄ変換器
１６  メモリーカード
４０  ＣＰＵ
６０  指紋データ照合部
６１  ＲＡＭ
６２  本体使用制御手段
６３  メモリーカード使用制御手段
７０  音声データ照合部
【図１】
2004297406.tif 000003
【図２】
2004297406.tif 000004
【図３】
2004297406.tif 000005
【図４】
2004297406.tif 000006